(57)【要約】【課題】肥料タンクを備えた乗用移植機の走行時の安定性及びオペレータの良好な視界を確保することを課題とする。【解決手段】運転席８を備えた走行機体３と、該走行機体３の後部に連結された苗載せ台６を有する植付作業機７と、運転席８の左右側方の少なくとも一方側に設置された肥料タンク１４と、運転席８の床面の側部を構成するサイドステップＳと、該サイドステップＳの後方にサイドステップＳより一段高く形成されたリアステップＲとを備えた乗用移植機において、前記肥料タンク１４を、底部１４ａよりも上部を後方に張り出して形成し、後部１４ｂを平面視リアステップＲと重合させた状態でリアステップＲ上方に配置するとともに、底部１４ａをリアステップＲの前方且つ下方に配置して設ける。【選択図】図３
2008154550.tif 000002
【特許請求の範囲】
【請求項１】
運転席（８）を備えた走行機体（３）と、該走行機体（３）の後部に連結された苗載せ台（６）を有する植付作業機（７）と、運転席（８）の左右側方の少なくとも一方側に設置された肥料タンク（１４）と、運転席（８）の床面の側部を構成するサイドステップ（Ｓ）と、該サイドステップ（Ｓ）の後方にサイドステップ（Ｓ）より一段高く形成されたリアステップ（Ｒ）とを備えた乗用移植機において、前記肥料タンク（１４）を、底部（１４ａ）よりも上部を後方に張り出して形成し、後部（１４ｂ）を平面視リアステップ（Ｒ）と重合させた状態でリアステップ（Ｒ）上方に配置するとともに、底部（１４ａ）をリアステップ（Ｒ）の前方且つ下方に配置して設けた乗用移植機。
【請求項２】
走行機体（３）の左右両側部の一方側に前記肥料タンク（１４）を設け、他方側の下部に燃料タンク（２６）を設けた請求項１の乗用移植機。
【発明の詳細な説明】
【技術分野】
【０００１】
この発明は、肥料タンクを備えた乗用移植機に関する。
【背景技術】
【０００２】
運転席を備えた走行機体と、該走行機体の後部に連結された苗載せ台を有する植付作業機と、前記運転席８の左側方及び右側方に設置された肥料タンクとを備えた特許文献１に示す乗用移植機が公知となっている。
【特許文献１】特許第３３７２７３８号公報
【発明の開示】
【発明が解決しようとする課題】
【０００３】
しかし、上記特許文献１に示すものにおいては、肥料タンクが走行機体の側方の上部位置に配置されているため、機体の重心が高くなってしまい走行時の安定性が低下する等の問題がある他、運転席に着座したオペレータの左右側方の視界が、肥料タンクによって妨げられてしまうという問題がある。
【課題を解決するための手段】
【０００４】
上記課題を解決するため本発明の乗用移植機は、第１に運転席８を備えた走行機体３と、該走行機体３の後部に連結された苗載せ台６を有する植付作業機７と、運転席８の左右側方の少なくとも一方側に設置された肥料タンク１４と、運転席８の床面の側部を構成するサイドステップＳと、該サイドステップＳの後方にサイドステップＳより一段高く形成されたリアステップＲとを備えた乗用移植機において、前記肥料タンク１４を、底部１４ａよりも上部を後方に張り出して形成し、後部１４ｂを平面視リアステップＲと重合させた状態でリアステップＲ上方に配置するとともに、底部１４ａをリアステップＲの前方且つ下方に配置して設けたことを特徴としている。
【０００５】
第２に、走行機体３の左右両側部の一方側に前記肥料タンク１４を設け、他方側の下部に燃料タンク２６を設けたことを特徴としている。
【発明の効果】
【０００６】
以上のように構成される本発明の乗用移植機の肥料タンク取付構造によれば、肥料タンクがより下方位置に配置されるため、肥料タンクを運転席の側方に設けた場合にも機体の重心を低く保つことができる他、肥料タンクが運転席に着座したオペレータの視界の妨げになることも防止される。
【０００７】
また、走行機体の左右側方の一方側に肥料タンク、他方側に燃料タンクを設けた乗用移植機においては、作業にともなってタンク内の肥料及び燃料が消費されるため、常に機体の左右バランスの安定に寄与するとともに、オペレータの機体への乗降が、肥料タンクが配置されていない側から容易に行えるという効果がある。
【発明を実施するための最良の形態】
【０００８】
図１，２は、本発明の乗用移植機の一例を示す乗用田植機の平面図及び側面図である。前後輪１，２を備えた走行機体３の後部に昇降リンク機構４を介して苗載せ台６を有する植付作業機７が昇降可能に連結され、走行機体３中央部に運転席８が設けられている。
【０００９】
走行機体３の右側部にはマット苗と苗箱とから構成される予備苗を載置する補助苗載せ台９が設置される一方、左側部には走行機体３前方から後方の苗載せ台６に苗をスライド供給する前後方向の予備苗載せ台１１が前後の支持支柱１２，１２を介して固定的に取付けられている。
【００１０】
走行機体１の前部の左右両側方にはそれぞれメインの肥料タンクであるメインタンク１３が配置されており、右側のメインタンク１３が補助苗載せ台９の下方に、左側のメインタンク１３が予備苗載せ台１１の下方に設置されている。
【００１１】
運転席８の左側方には、補助用の肥料タンクである補助タンク１４が配置されており、予備苗載せ台１１の下方位置に支持具１６によって固定されている。メインタンク１３、補助タンク１４に貯蔵された肥料は、植付作業機７の植付深さ調整用のフロート１７に設置された施用部１８よって圃場に施肥される。
【００１２】
図３（Ａ），（Ｂ）は、予備苗載せ台を走行機体から取外した状態の乗用田植機の平面図及び側面図である。運転席８前方のボンネット１９の左右両側にはそれぞれフロントステップ２１が、ボンネット１９後方の運転席７の床面にはフロアステップ２２が形成されている。
【００１３】
運転席８の左右後方にはそれぞれ上記フロアステップ２２より一段高く苗供給用ステップ２３がそれぞれ設けられている。走行機体１の左右両側部の後部下側で上記苗供給用ステップ２３の外側には、それぞれ補助ステップ２４が配置されており、右側の補助ステップ２４の下方位置には、燃料タンク２６（図８参照）が設けられている。
【００１４】
図４（Ａ），（Ｂ）は、左側の補助ステップの平面図及び側面図である。補助ステップ２４は、走行機体３の側部から外側に向かって固設されたステップフレーム２７と、平面視略正方形状の下段ステップ２８と、該下段ステップ２８より一段高い平面視略正方形状の上段ステップ２９と、後方に向かって上方に傾斜する連結プレート３１とにより構成されている。
【００１５】
上段ステップ２９は下段ステップ２８の後方に位置し、下段ステップ２８の後端が連結プレート３１の前端、上段ステップ２９の前端が連結プレート３１の後端に連接されている。前述したステップフレーム２７は、上下段のステップ２８，２９及び連結プレート３１によって形成される前端、後端及び左右方向外側の側端に沿うように折り曲げ形成された棒状の部材であり、このステップフレーム２７によって上下段のステップ２８，２９及び連結プレート３１が、走行機体３の左右両側部の後部下側に固定的に支持される。
【００１６】
下段ステップ２８上面及び上段ステップ２９上面の左右方向中央より外側部分には、平面視略長方形状の樹脂製の足踏板３２が、それぞれボルト固定されている。なお、補助ステップ２４の足踏板３２以外の部分は金属製の部材によって形成されている。
【００１７】
補助ステップ２４の下段ステップ２８は、上記フロアステップ２２と略同一高さでフロアステップ２２の左右方向外側に位置しており、上段ステップ２９は、上記苗供給用ステップ２３と略同一高さで苗供給用ステップ２３の左右方向外側に位置している。
【００１８】
このため、左右の下段ステップ２８，２８及びフロアステップ２２の左右両側部によって、運転席８の左右両側方にはサイドステップＳがそれぞれ形成され、左右の上段ステップ２９，２９及び左右の苗供給用ステップ２３，２３によって、各サイドステップＳの後方にはリアステップＲが形成される。
【００１９】
上記構成の補助ステップ２４上（サイドステップＳ及びリアステップＲのステップ面上）に、支持具１６を介して補助タンク１４を設置する。図５（Ａ），（Ｂ），（Ｃ）は、支持具の平面図、正面図及び側面図である。支持具１６は、補助ステップ２４の下段ステップ２８に取付けられる前プレート３４と、補助ステップ２４の上段ステップ２９に取付けられる後プレート３６と、支持ステー３７と、保持ステー３８とから構成される。
【００２０】
前プレート３４及び後プレート３６は、上下段のステップ２８，２９の各足踏板３２の取付部に対応した形状に成形されている。支持ステー３７は、側面視逆Ｕ字状且つ平面視前後方向に延びる直線状の係合部３７ａと、係合部３７ａの前側の下部から連続して下方に延びる支持部３７ｂとにより構成されており、係合部３７ａの後側の下端部が支持ステー３７の後側下端部、支持部３７ｂの下端部が支持ステー３７の前側下端部を形成している。
【００２１】
支持ステー３７の前側下端部が前プレート３４にボルト等で固定される一方、後側下端部が後プレート３６にブラケット３９を介してボルト固定されている。これにより、支持ステー３７は前後のプレート３４，３６に固定的に支持される。なお、上記ブラケット３９は、溶着等で後プレート３６に一体的に固設されている。
【００２２】
保持ステー３８は、側面視形状が支持ステー３７の係合部３７ａの側面視形状と略同一の逆Ｕ字形状の係合部３８ａと、係合部３８ａの前後の下部からそれぞれ連続して右方（左右方向内側、走行機体３側、支持ステー３７側）に延びる取付部３８ｂとにより構成される平面視略逆コの字形、側面視略逆Ｕ字形の形状の部材である。なお、係合部３８ａの前後の下部は、下方に向かって右方（左右方向内側、走行機体３側、支持ステー３８側）に屈曲している。
【００２３】
そして、保持ステー３８の前後の取付部３８ｂ，３８ｂの先端部（右端部）が支持ステー３７の係合部３７ａの前後の下部にそれぞれボルト固定されることにより、保持ステー３８が、支持ステー３７の左右方向外側に配置された状態で、支持ステー３７に取付けられる。
【００２４】
また、保持ステー３８の後側の取付部３８ｂには後方に向かって延びる取付ブラケット４１が溶着等で一体的に設けられており、この取付ブラケット４１が後プレート３６に取付けられている前述のブラケット３９にボルト固定される。これにより、保持ステー３８は、後プレート３６に支持される。そして、支持ステー３７に取付けられ且つ後プレート３６に支持された状態の保持ステー３８の係合部３８ａは、支持ステー３７の係合部３７ａと略平行になり、両係合部３７ａ，３８ａが左右に並べられた状態になる。
【００２５】
図６（Ａ），（Ｂ）は支持具を補助ステップに取付けた状態を表す支持具及び補助ステップの平面図及び側面図である。支持具１６を補助ステップ２４に取付けるためには、補助ステップ２４の上下段ステップ２８，２９の各足踏板３２を取外す。そして、下段ステップ２８の足踏板３２の取付部に前プレート３４を、上段ステップ２９の足踏板３２の取付部に後プレート３６を嵌め込み、ボルト固定する。これにより、支持具１６が補助ステップ２４に固定的に取付けられる。
【００２６】
この状態においては、支持ステー３７及び保持ステー３８の係合部３７ａ，３８ａの上端部（中途部）が、下段ステップ２８及び上段ステップ２９と略平行になる。また、前プレート３４の後部には、補助タンク１４内の肥料を走行機体３の腹部に設けられたポンプ４２（図８，９参照）に移送する移送管４３（図８，９参照）を補助ステップ２４上方から下方に通すための挿通孔４４が設けられている。
【００２７】
上記支持具１６の取付構造によれば、補助ステップ２４の支持具１６の取付部を、足踏板３２の取付部と兼用できるため、部品点数を減らして構造をシンプルにし、製造コストを低く抑えることが可能になる。また、前プレート３４に挿入孔４４を設けることにより、補助タンク１４に接続された移送管４３を、補助ステップ２４を迂回させることなく、短い距離で補助ステップ２４の下方位置まで延設することが可能になる。
【００２８】
図７（Ａ），（Ｂ），（Ｃ）は支持具に補助タンクを取付けた状態を表す支持具及び補助タンクの平面図、正面図及び側面図である。補助タンク１４は前後方向に長い平面視長方形状の中空部材で、前部下端には略水平な面を有する底面１４ａ（底部）が形成され、該底面１４ａに対して上部が後方に張り出した形状に形成されている。このため、補助タンク１４の後部１４ｂの下端は、底部１４ａに対して高くなる。そして、上記底面１４ａには、補助タンク１４内の肥料を排出する排出口４６が設けられている。
【００２９】
補助タンク１４の右側面（機体内方）には上記支持ステー３７の係合部３７ａの形状に対応した側面視逆Ｕ字状の係合溝１４ｃが形成されており、左側面（機体外方）には上記保持ステー３８の係合部３８ａの形状に対応した側面視逆Ｕ字状の係合溝１４ｄが形成されている。
【００３０】
補助タンク１４を支持具１６に固定的に取付けるためには、補助タンク１４の機体内方の係合溝１４ｃに、補助ステップ２４を介して走行機体３側に固設された支持ステー３７の係合部３７ａを嵌め込む一方で、補助タンク１４の機体外方の係合溝１４ｄに、固定も支持もされていない保持ステー３８の係合部３８ａを嵌め込む。
【００３１】
そして、保持ステー３８を支持ステー３７に取付け且つ後プレート３６に支持固定すると、支持ステー３７及び保持ステー３８によって、補助タンク１４が支持具１６に締着固定される。以上のようして運転席８の左側方に設置された補助タンク１４は、底部１４ａに対して上部が後方に張り出し形成されているため、補助ステップ２４の前後幅と略同一の前後幅を有する大型の補助タンク１４を、後端側がリアステップＲのステップ面よりも上方に位置するように設置した場合においても、補助タンク１４の底面１４ａをリアステップＲのステップ面の下方に位置させることが可能になる。このことにより、容量の大きな補助タンク１４を走行機体３の左右側方の少なくとも一方側のより下方位置に設置することが可能になる。
【００３２】
図８，９は、乗用田植機の施肥装置の平面図及び側面図である。左右のメインタンク１３の各排出口４７及び補助タンク１４の排出口４６から移動管４３を介して移送されてくる肥料は、走行機体３の腹部に設置されたポンプ４２によって、パイプ４８を介して圧力等の計測が可能なインジケータ４９に送られた後、施肥パイプ５１を介して植付作業機７のフロート１７に設置された前述の施用部１８に送り出される。
【００３３】
施用部１８は、各フロート１７の左右両端からそれぞれ前方に突設された深層用の施肥ノズル５２と、各フロート１７の左右方向中央部から前方に突設された浅層用の施肥ノズル５３とにより構成されており、各施肥ノズル５２，５３は後方に向かって下方傾斜している。
【００３４】
フロート１７は、植付作業時において圃場に接地され、植付作業機７の植付深さを調整する。このフロート１７が本乗用田植機においては３つ設けられているため、これに対応して９本の施肥ノズル５２，５３が設けられている。なお、上記施肥パイプ５２及びパイプ４８も、施肥ノズル５２，５３毎に設けられている。上記構成の施用部１８によって、圃場の所定深さに肥料が施肥される。
【００３５】
次に右側のサイドステップＳの下方に設置された燃料タンク２６について説明する。燃料タンク２６は、補助ステップ２４の下段ステップ２８及び走行機体３の底面に位置する左右方向に長い直方体形状の貯蔵部２６ａと、補助ステップ２４の連結プレート３１に沿って貯蔵部２６ａ後端の右側から後方に向かって上方に延びる直方体形状の注入部２６ｂと、注入部２６ｂの上面側に設けられた給油口２６ｃ（注入口）とにより構成されており、補助ステップ２４及び走行機体３の底面に取付けられている。給油口２６ｃは、キャップ５４によって閉じられている。
【００３６】
貯蔵部２６ａ及び注入部２６ｂとにより、燃料タンク２６の内部には燃料を溜めるための単一の空間が形成されている。そして、右側の補助ステップ２４の連結プレート３１には開閉可能に給油蓋５６（注入蓋）が設けられており（図１参照）、給油蓋５６を開くことにより、燃料タンク２６の給油口２６ｃに容易にアクセスすることができる。
【００３７】
上記構成の乗用田植機によれば、メインタンク１３を走行機体３前部の左右両側に配置した場合でも、オペレータの視界や機体バランスを悪化させることなく、大容量の補助タンク１４を運転席８の側方に設置することが可能になるため、利便性が高い。
【図面の簡単な説明】
【００３８】
【図１】乗用田植機の平面図である。
【図２】乗用田植機の側面図である。
【図３】（Ａ），（Ｂ）は予備苗載せ台を走行機体から取外した状態の乗用田植機の平面図及び側面図である。
【図４】（Ａ），（Ｂ）は左側の補助ステップの平面図及び側面図である。
【図５】（Ａ），（Ｂ），（Ｃ）は支持具の平面図、正面図及び側面図である。
【図６】（Ａ），（Ｂ）は支持具を補助ステップに取付けた状態を表す支持具及び補助ステップの平面図及び側面図である。
【図７】（Ａ），（Ｂ），（Ｃ）は支持具に補助タンクを取付けた状態を表す支持具及び補助タンクの平面図、正面図及び側面図である。
【図８】乗用田植機の施肥装置の平面図である。
【図９】乗用田植機の施肥装置の側面図である。
【符号の説明】
【００３９】
３    走行機体
６    苗載せ台
７    植付作業機
８    運転席
１４  肥料タンク（補助タンク）
１４ａ  底面（底部）
１４ｂ  後部
２６  燃料タンク
Ｓ    サイトステップ
Ｒ    リアステップ
【図１】
2008154550.tif 000003
【図２】
2008154550.tif 000004
【図３】
2008154550.tif 000005
【図４】
2008154550.tif 000006
【図５】
2008154550.tif 000007
【図６】
2008154550.tif 000008
【図７】
2008154550.tif 000009
【図８】
2008154550.tif 000010
【図９】
2008154550.tif 000011